(57)【要約】【課題】着付教室のカリキュラムで使用する和装品を発注する際に発注した和装品を必要となるカリキュラムに間に合わせることができる販売システム及びその販売システムに用いられる管理サーバを提供する。【解決手段】本発明の和装品の販売システムは、主催者Ｂの管理サーバ１と、入力端末である教室端末２及び受講者端末３と、配送業者Ｄに設置されている配送端末４と、きもの等の加工業者Ｅに設置されている加工者端末５とを備えている。教室に通う受講者Ａが受講者端末３等から和装品６の発注を行う際は、第１入力画面２２により自分が希望する和装品のＩＤを入力する。すると、管理サーバ１は判定手段１２によって発注された和装品６がどのカリキュラムで使用されるかを判定し、発注された和装品が必要となるカリキュラムまでに受講者の手元に配送されるように納期情報を付けて発注を行う。【選択図】  図３
2005258648.tif 000002
【特許請求の範囲】
【請求項１】
複数の会場で開催されると共に複数のカリキュラムを複数の日程で行うきもの着付教室に通う受講者を対象とした和装品の販売システムであって、
購入する和装品の情報が入力される入力端末と、前記和装品を配送する配送者に設置される配送端末と、ネットワークを介して前記入力端末及び前記配送端末に接続される管理サーバとを備え、
前記サーバは、少なくとも前記カリキュラムの日時の情報と、前記カリキュラムに使用する和装品の情報である使用品情報と、開催会場を含む受講者に関する受講者情報とを対応づけて記憶する記憶手段と、
前記入力端末から前記受講者情報と希望する和装品の情報である物品情報とを含む発注情報が転送されたときに、前記受講者情報に対応づけられて記憶されている前記カリキュラムの日時の情報と、前記物品情報と前記使用品情報とを対比させることにより得られる前記カリキュラムの情報とを元に、前記物品情報に対応する和装品がどの会場のどのカリキュラムで使用されるかを判定する判定手段と、
前記判定手段により判定されたカリキュラムの日時を納期情報として前記配送端末に前記発注情報と共に送信する送信手段とを有していることを特徴とする和装品の販売システム。
【請求項２】
複数の会場で開催されると共に複数のカリキュラムを複数の日程で行うきもの着付教室に通う受講者を対象とした和装品の発注を管理し、購入する和装品の情報が入力される入力端末及び前記和装品を配送する配送者に設置される配送端末にネットワークを介して接続される管理サーバであって、
少なくとも前記カリキュラムの日時の情報と、前記カリキュラムに使用する和装品の情報である使用品情報と、開催会場を含む受講者に関する受講者情報とを対応づけて記憶する記憶手段と、
前記入力端末から前記受講者情報と希望する和装品の情報である物品情報とを含む発注情報が転送されたときに、前記受講者情報に対応づけられて記憶されている前記カリキュラムの日時の情報と、前記物品情報と前記使用品情報とを対比させることにより得られる前記カリキュラムの情報とを元に、前記物品情報に対応する和装品がどの会場のどのカリキュラムで使用されるかを判定する判定手段とを備えていることを特徴とする和装品の発注管理を行う管理サーバ。
【請求項３】
前記記憶手段は前記和装品の在庫状況と既に終了したきもの着付教室で発注された和装品の数量である既発注情報とを記憶し、
前記記憶手段に記憶された前記在庫情報と前記既発注情報とを比較し、前記カリキュラムに必要な和装品の在庫が前記既発注情報よりも少なくなったときは前記送信手段によって前記配送端末に在庫の補充を指示する補充情報と前記納期情報とを送信する在庫補充手段を備えていることを特徴とする請求項２に記載の和装品の発注管理を行う管理サーバ。
【請求項４】
前記和装品は発注を受けてから加工が必要な要加工品を含み、前記記憶手段は前記要加工品の加工に必要な加工時間情報と前記要加工品が使用されるカリキュラムの日時の情報である加工品使用情報とを記憶し、
前記入力端末から前記要加工品を示す物品情報と前記加工品使用情報とが転送された際に前記各情報が転送された日時から前記加工時間情報によって割り出される加工終了日時と前記加工品使用情報とを比較して前記加工終了日時が前記加工品使用情報の使用日時を越えるときは前記入力端末に警告を行う警報手段を備えていることを特徴とする請求項２又は３に記載の和装品の発注管理を行う管理サーバ。
【請求項５】
前記受講者情報は受講者の身長情報を含み、
前記身長情報から少なくともきものの身丈と裄と衿下と袖丈と前幅と後幅と袖幅と繰越とを計算する計算手段を備え、ネットワークを介して前記要加工品の加工を行う加工者の加工者端末に接続され、
前記送信手段は、前記入力端末から前記受講者情報と前記要加工品であるきものを示す物品情報とが転送されたときは前記送信手段は前記発注情報と共に前記計算手段により計算された各値を前記加工者端末に送信することを特徴とする請求項４に記載の和装品の発注管理を行う管理サーバ。
【発明の詳細な説明】
【技術分野】
【０００１】
本発明は、きもの着付教室に通う受講者に和装小物等の和装品を販売するための販売システム及び和装品の発注管理を行うための管理サーバに関する。
【背景技術】
【０００２】
現在、本願発明者等は、和装の普及を目的とし、きものを着てみたいという人を対象として４ヵ月間「無料きもの着付教室」を開催している。当該着付教室においては、受講者の所有するきものや小物を利用して着付けの指導を行っている。
【０００３】
ところが、受講者の中には、きものや帯は購入したり知人等から譲り受けたりして所有しているが、実際にきものを着る際に使用する小物等の和装品を所有していない人が少なくない。当該着付教室においては、事前に使用する和装品の説明を行って受講者が準備し易いようにしているが、受講者の中には、仕事の関係で買い物をする時間がない人もいるため、教室でのカリキュラムに和装品を準備できない場合がある。
【０００４】
また、当該着付教室においては、最終のカリキュラムとして当該着付教室で習得した内容をおさらいする意味も含めて自分できものを着て出席するパーティーを開催している。そのパーティーにおいては、新たなきものや帯を着用し、或いは自分が所有するきものや帯等を手直しして出席したいと希望する受講者も多い。しかしながら、きもの等の和装品の仕立てや手直しは、機械加工のように短時間に行えるものではなく、手直しを発注したがパーティーに間に合わないという事態も発生する可能性がある。
【０００５】
ところで、発注された商品の納期を管理するシステムとして、下記特許文献１に開示されたシステムが知られている。当該特許文献１に開示されたシステムでは、商品の発注指示を受け付ける受付端末と、受付端末からの発注指示をとりまとめる受付管理ホストと、商品の仕入れ先に配置されたデータ交換端末と、データ交換端末と受付管理ホストとの間で交換される情報を管理する発注管理サーバとを備え、データ交換端末が商品の納期情報を発注管理サーバに送信し、発注管理サーバがデータ交換端末から送信された納期情報により納入期日又は納入期日が不明である旨を商品発注者に宛てて通知を行うというものである。このような特許文献１に開示されたシステムでは、発注者に発注した商品の納期情報を素早く知らせることができるので、商品を発注した発注者を不安にさせることがないとされている。
【０００６】
しかしながら、受講者が着付教室で使用する小物を発注する場合、上記特許文献１に開示されたシステムでは発注された小物の納期を素早く知ることができるが、受講者は当該小物が必要となるカリキュラムに間に合うかどうかはカリキュラムの内容を確認しなければならない。また、当該小物が必要となるカリキュラムに間に合わなければ納期が知らされても意味がないこととなる。
【特許文献１】特開２００２−２９７９７２号公報
【発明の開示】
【発明が解決しようとする課題】
【０００７】
本発明は、和装品の販売システム及び和装品の発注管理を行う管理サーバの改良を目的とし、さらに詳しくは前記不都合を解消するために、着付教室のカリキュラムで使用する和装品を発注する際に発注した和装品を必要となるカリキュラムに間に合わせることができる販売システム及びその販売システムに用いられる管理サーバを提供することを目的とする。
【課題を解決するための手段】
【０００８】
前記目的を達成するために、本発明の和装品の販売システムは、複数の会場で開催されると共に複数のカリキュラムを複数の日程で行うきもの着付教室に通う受講者を対象とした和装品の販売システムであって、購入する和装品の情報が入力される入力端末と、前記和装品を配送する配送者に設置される配送端末と、ネットワークを介して前記入力端末及び前記配送端末に接続される管理サーバとを備え、前記サーバは、少なくとも前記カリキュラムの日時の情報と、前記カリキュラムに使用する和装品の情報である使用品情報と、開催会場を含む受講者に関する受講者情報とを対応づけて記憶する記憶手段と、前記入力端末から前記受講者情報と希望する和装品の情報である物品情報とを含む発注情報が転送されたときに、前記受講者情報に対応づけられて記憶されている前記カリキュラムの日時の情報と、前記物品情報と前記使用品情報とを対比させることにより得られる前記カリキュラムの情報とを元に、前記物品情報に対応する和装品がどの会場のどのカリキュラムで使用されるかを判定する判定手段と、前記判定手段により判定されたカリキュラムの日時を納期情報として前記配送端末に前記発注情報と共に送信する送信手段とを有していることを特徴とする。
【０００９】
また、前記目的を達成するために、本発明の和装品の発注管理を行う管理サーバは、複数の会場で開催されると共に複数のカリキュラムを複数の日程で行うきもの着付教室に通う受講者を対象とした和装品の発注を管理し、購入する和装品の情報が入力される入力端末及び前記和装品を配送する配送者に設置される配送端末にネットワークを介して接続される管理サーバであって以下の構成を備えていることを特徴とする。
【００１０】
まず、少なくとも前記カリキュラムの日時の情報と、前記カリキュラムに使用する和装品の情報である使用品情報と、開催会場を含む受講者に関する受講者情報とを対応づけて記憶する記憶手段である。また、前記入力端末から前記受講者情報と希望する和装品の情報である物品情報とを含む発注情報が転送されたときに、前記受講者情報に対応づけられて記憶されている前記カリキュラムの日時の情報と、前記物品情報と前記使用品情報とを対比させることにより得られる前記カリキュラムの情報とを元に、前記物品情報に対応する和装品がどの会場のどのカリキュラムで使用されるかを判定する判定手段である。さらに、前記判定手段により判定されたカリキュラムの日時を納期情報として前記配送端末に前記発注情報と共に送信する送信手段である。
【００１１】
本発明の和装品の販売システム及び当該システムに用いられる管理サーバにおいては、前記入力端末から和装品の発注がなされたときは、発注情報に含まれる受講者情報から当該受講者がどの会場で開催される着付教室に通っているかが明らかとなる。また、前記物品情報と前記記憶手段に記憶されている使用品情報から、当該会場におけるカリキュラムの日時及び使用される和装品が明らかとなる。また、前記判定手段がこれらの情報を元に発注された和装品がどの日時のカリキュラムで使用されるかを判定し、前記送信手段が判定されたカリキュラムの日時を納期情報として前記配送端末に発注情報と共に送信する。
【００１２】
このため、前記管理サーバによって、和装品の配送者は、当該納期情報によって発注された和装品の納期を知ることができる。また、発注された和装品は、必要となる着付教室のカリキュラムに間に合うように配送されるため、発注者は発注された和装品の納期を気にする必要がない。また、前記入力端末を受講者が所有するパーソナルコンピュータ（以下ＰＣという。）や携帯端末等としたときは、自宅や携帯電話等で和装品を発注することができるので、仕事の関係で買い物をする時間がない人であっても着付教室でのカリキュラムに必要な和装品を入手することができる。
【００１３】
また、本発明の管理サーバにおいては、前記記憶手段は前記和装品の在庫状況と既に終了したきもの着付教室で発注された和装品の数量である既発注情報とを記憶し、前記記憶手段に記憶された前記在庫情報と前記既発注情報とを比較し、前記カリキュラムに必要な和装品の在庫が前記既発注情報よりも少なくなったときは前記送信手段によって前記配送端末に在庫の補充を指示する補充情報と前記納期情報とを送信する在庫補充手段を備えていることが好ましい。
【００１４】
本発明の管理サーバは、記憶手段に複数のカリキュラムにおいて使用される和装品と既発注情報とを記憶しているため、どのカリキュラムにおいて使用される和装品が不足するかを予測することができる。そして、前記在庫補充手段により前記配送端末に和装品の在庫の補充が指示されるため、配送者は事前に和装品の在庫を確保することができる。このとき、前記配送端末には納期情報も送信されるため、前記配送者は当該納期情報を元にして確実に和装品の在庫を確保することができる。
【００１５】
また、本発明の管理サーバにおいて、前記和装品は発注を受けてから加工が必要な要加工品を含み、前記記憶手段は前記要加工品の加工に必要な加工時間情報と前記要加工品が使用されるカリキュラムの日時の情報である加工品使用情報とを記憶しているときは、前記入力端末から前記要加工品を示す物品情報と前記加工品使用情報とが転送された際に前記各情報が転送された日時から前記加工時間情報によって割り出される加工終了日時と前記加工品使用情報とを比較して前記加工終了日時が前記加工品使用情報の使用日時を越えるときは前記入力端末に警告を行う警報手段を備えていることが好ましい。
【００１６】
本発明の管理サーバにおいて要加工品が発注されたときは、前記警報手段が加工時間情報と加工品使用情報とを元に、加工終了日時が前記加工品使用情報の使用日時を越えるときは前記入力端末に警告を行う。一方、前記警報手段は、加工終了日時が前記加工品使用情報の使用日時を越えないときは前記入力端末に警告は行わない。
【００１７】
従って、本発明の管理サーバにおいては、要加工品の発注から使用日時までに余裕があり加工時間が確保されるときは要加工品の発注が行われるため、使用日時までに確実に要加工品を受講者に配送することができる。一方、発注から使用日時までに加工時間が確保されないときは入力端末に警告がなされるので、受講者は他の代替手段を選択することができる。このため、きもの等の手直しを発注したが最終のカリキュラムであるパーティーに間に合わないという事態を回避することができる。
【００１８】
また、本発明の管理サーバにおいて、前記受講者情報が受講者の身長情報を含み、前記身長情報から少なくともきものの身丈と裄と衿下と袖丈と前幅と後幅と袖幅と繰越とを計算する計算手段を備え、前記サーバがネットワークを介して前記要加工品の加工を行う加工者の加工者端末に接続されているときは、前記送信手段は前記入力端末から前記受講者情報と前記要加工品であるきものを示す物品情報とが転送された際に前記送信手段は前記発注情報と共に前記計算手段により計算された各値を前記加工者端末に送信することが好ましい。
【００１９】
きものの加工を行う際は、通常きものを着用する人の身長の他、腕の長さや胴回り等、多くの寸法を測ることが行われている。しかしながら、採寸の方法は着付けの流派や個人によってばらつきがあるため、同一人物であっても採寸を行う人によっては各寸法の値が異なるという事態も生じ得る。一方、きものは着る人の体形が多少異なっていても着付けによって吸収することができるという側面も持っている。そこで、本願発明者等は、きものを着る人の身長から各寸法を自動計算する手法を開発した。本発明の装和装品発注システムにおいては、前記管理サーバに前記計算手法で計算を行うことができる計算手段を備えているので、前記入力端末からきものの発注があった場合、前記受講者情報に身長情報が含まれていれば前記加工者端末に前記計算手段による計算結果を送信して加工者にきものの加工を行わせることができる。これにより、受講者は面倒な採寸を行うことなく自分の体形にあったきものを入手することができる。
【発明を実施するための最良の形態】
【００２０】
次に、本発明の和装品の販売システム及び和装品の発注管理を行う管理サーバの実施形態の一例について、図１乃至図７を参照して説明する。本願発明者等は、和装の普及を目的とし、きものを着てみたいという人を対象として４ヵ月間「無料きもの着付教室」を開催している。そのビジネスモデルを図１を参照して説明すると、着付教室に通う受講者Ａ、本願発明者等を示す主催者Ｂ、きもの用の反物や帯或いは和装小物等を生産する生産者Ｃが中心となっている。そして、本実施形態の和装品の販売システム及び管理サーバは、これらの三者間の連携を、配送業者Ｄ及び加工業者Ｅを含めた形で円滑に行うものである。
【００２１】
一般の人の中には、成人式に着た晴れ着を所有していたり、親や親類からきものを譲ってもらって所有している人も少なくないが、着付けができない人はほとんど着る機会がないのが現状である。また、デパート等のショーウインドーに飾られた美しいきものやゆかた等を見てきものに興味を持つ人も少なくないが、自分で着付けができなければきもの等の購入には至らないことが多い。一方で、一般のきもの着付教室に授業料を支払って着付けを習得することはできるが、経済上の理由等から容易ではない場合が多い。このように、きものの着付けができるようになりたいと考えている人は、現在きものを普段から着ている人（きもの人口）よりも潜在的に多いことが予想される。
【００２２】
主催者Ｂは、このようにきものを着てみたい人やきものに興味を持っている人を対象に、無料で着付けを習得する機会を提供するものである。無料であれば、経済的な理由できもの着付教室には通えなかった人であっても通うことができる。そして、着付けができるようになった受講者Ａは、結婚式や成人式のみならず、訪問着やおしゃれ着として普段からきものを着る機会が増えることは明らかである。
【００２３】
また、主催者Ｂが提供するきもの着付教室では、きものの着付けのみならず、きものや帯等の本質的な価値を見分けることができるようにセミナーも行っている。きもの等の素材や縫製などからその価値がわかれば、デパートや呉服屋等であってもブランドに頼ることなく品物の善し悪しを判断することができる。このため、受講者Ａは気後れすることなく気軽にデパート等に足を運ぶことができるので、きもの等を購入する機会も増えて結果的に需要が増大する。
【００２４】
一方、生産者Ｃの立場としては、きもの等の需要を増やし、売上を伸ばしたいという要求がある。しかしながら、単に宣伝広告を行っても、購入する人は現在着付けができる人や他人に着付けをしてもらって着る人（既存のきもの人口）に限られるため、思うように需要が伸びないのが現状である。ところが、主催者Ｂが主催する無料きもの着付教室によって、きものを着ることができる人（受講者Ａ）が増えれば、受講者Ａのきものを着る機会が増え、必然的にきものや帯、或いは和装小物の需要は伸びることになる。このため、生産者Ｃとしては、単に宣伝広告を行うよりも、このようなきものを着る機会を無料で提供するきもの着付教室に投資する方が売上の伸びにつながることになる。
【００２５】
以上のような理由により、主催者Ｂは生産者Ｃの協力を得ることができ、きもの着付教室を無料で受講者Ａに提供することができるようになっている。
【００２６】
具体的には、図１の矢印（１）に示すように、主催者Ｂと生産者Ｃとが契約を結び、主催者Ｂが４ヵ月間「無料きもの着付教室」を主催するための態勢を整える。次に、矢印（２）に示すように、主催者Ｂが４ヵ月間「無料きもの着付教室」の受講者Ａを募集する広告を行う。これにより、矢印（３）に示すように広告を見た人の中からきものの着付けを習得してみたいという受講希望者の応募がある。主催者Ｂは、教室等の受講施設や受け入れ態勢等を勘案し、この受講希望者の中から受講者Ａを決定する。その後、矢印（４）に示すように、主催者Ｂが受講者Ａに４ヵ月間で１５回のカリキュラムに分けて行うきもの着付教室を提供する。
【００２７】
この着付教室においては、受講者Ａの所有するきものや小物を利用して着付けの指導を行っているが、実際に着付教室を行っている過程で受講者Ａがきものや帯、或いは和装小物等の和装品６購入を希望する場合がある。このような場合は、矢印（５）に示すように主催者Ｂが受講者Ａから注文を受け付ける。そして、主催者Ｂは、矢印（６）に示すように、生産者Ｃに対して注文された和装品６を発注し、矢印（７）に示すように、配送業者Ｄを介して和装品６を受講者Ａに届ける。この和装品６がきもの等のように仕立て（加工）が必要な要加工品である場合は、矢印（８）に示すように、さらに加工業者Ｅを介して加工された和装品６を受講者Ａに届ける。
【００２８】
本実施形態の和装品の販売システム及び管理サーバ１は、このように受講者Ａがきもの着付教室において和装品６を必要とする場合に、教室のカリキュラムに合わせて和装品６を受講者Ａに確実に届けることができるようにするものである。以下にその販売システム及び管理サーバ１について詳細に説明する。
【００２９】
本実施形態の和装品の販売システムは、管理サーバ１と、入力端末である教室端末２及び受講者端末３と、配送業者Ｄに設置されている配送端末４と、きもの等の加工業者Ｅに設置されている加工者端末５とを備えている。この和装品の販売システムは、全国で百カ所を越える開催地において開催される４ヵ月間無料着付教室において、各教室に通う受講者Ａから和装小物等の和装品６の購入希望や、きものや帯の仕立て直し等の希望があった場合に和装品又は和装品の加工サービスを提供すると共に、管理サーバ１によってその発注管理を行うものである。
【００３０】
本実施形態の管理サーバ１は、図２に示すように、インターネット７（ネットワーク）を介して教室端末２及び受講者端末３と、配送業者Ｄに設置されている配送端末４と、きもの等の加工業者Ｅに設置されている加工者端末５とに接続されている。教室端末２は、各地の無料きもの着付教室の事務局に設置されているＰＣであり、入力装置としてキーボードやマウスの他にバーコードリーダ８が装着されている。また、受講者端末３は、各受講者Ａが自宅に所有しているＰＣである。配送端末４は配送業者Ｄの事業所に設けられているＰＣであり、当該配送業者Ｄの倉庫９には生産者Ｃからの委託を受けて和装品６を在庫として保管している。加工者端末５はきものや帯、或いは長襦袢等の加工を行う加工業者Ｅの事業所に設けられているＰＣである。
【００３１】
次に、図３を参照して、管理サーバ１の機能的構成について説明する。本実施形態の管理サーバ１は、記憶手段１０と、入力手段１１と、判定手段１２と、送信手段１３と、在庫補充手段１４と、計算手段１５と、警報手段１６とを備えている。記憶手段１０は、本実施形態ではＰＣのハードディスクで構成されている。その他の各手段は、ＰＣに設けられたハードディスクやメモリに記憶されＣＰＵによって実行されるプログラムとなっている。
【００３２】
まず、管理サーバ１の機能的構成のうちの記憶手段１０について説明する。記憶手段１０には、取り扱う商品の情報である商品マスタ１７と、受講者Ａの情報である受講者Ａマスタ１８と、教室が開催される会場の情報である教室マスタ１９と、カリキュラム及びそのカリキュラムにおいて使用される和装品の情報である使用品マスタ２０と、配送業者Ｄが保管している和装品６の在庫情報２１が記憶されている。
【００３３】
商品マスタ１７には、図４（ａ）に示すように、本実施形態において取り扱う和装品６のＩＤと、サイズを含む名称と、その単価と、既発注情報とが記憶されている。この既発注情報は、各和装品６の過去数年間での発注数の平均値である。また、商品マスタ１７には、和装品６が要加工品である場合の加工時間情報が記憶されている。このように、取り扱う和装品６には、和装小物のみならず、きもの、帯、及び長襦袢も含まれる。これらの商品のうち、きものと長襦袢は受講者Ａの体形に応じて寸法を加工する必要がある。さらに、取り扱う和装品６には、受講者Ａが所有するきものや帯等であって、受講者Ａが修繕や仕立て直しを希望するものも含まれる。
【００３４】
受講者Ａマスタ１８には、図４（ｂ）に示すように、受講者ＡのＩＤ、氏名、住所、通っている教室名、通っている教室の曜日とクラス（時間）の各情報が記憶されている。教室マスタ１９には、図４（ｃ）に示すように、教室の名称、開催される曜日、クラスの各情報が記憶されている。使用品マスタ２０には、図４（ｄ）に示すように、１５回のカリキュラムの内容とそこで使用される和装品６のＩＤが記憶されている。
【００３５】
図４（ｄ）は使用品マスタ２０に記録されている４ヵ月間「無料きもの着付教室」のカリキュラムである。具体的には、第１回目のカリキュラムは着付教室の説明会と、講師及び受講者Ａの自己紹介である。第２回目は普段着の着方、第３回目は名古屋帯の結び方、第４回目は名古屋帯（ポイント柄）の結び方となっている。第５回目は帯についての勉強会を行うセミナーとなっている。第６回目はゆかた、半幅帯の結び方、第７回及び第８回は柔らか物（柔らかいきもの）の着方となっている。第９回は留袖の着方、第１０回はきものの勉強会を行うセミナー、第１１回及び第１２回は留袖の着方、袋帯の結び方（二重太鼓）となっている。そして、第１３回は実技テストと学科テスト、第１４回は総復習、第１５回は終了式となっている。
【００３６】
使用品マスタ２０には、これらのカリキュラムに対応して使用される和装品６のＩＤが記憶されている。例えば、第２回ではＩＤが００１の足袋Ｓ（Ｓはサイズ）等の和装品６が複数記憶されている。また、カリキュラム特有の和装品６としては、第３回及び第４回は、カリキュラムが名古屋帯の結び方であるので、第２回等に記憶されている一般的な和装品６の他に、名古屋帯を着用する際に特有の小物のＩＤ（Ｎ０１…）が記憶されている。
【００３７】
同様に、第９回、第１１回及び第１２回は、カリキュラムが留袖の着付けに関するものであるため、黒留袖用の白い帯揚げ、白い帯締め、白い比翼等に該当するＩＤ（Ｔ０１…）が記憶されている。さらに、第１５回は修了式となっており、修了式に出席する受講者Ａには希望者に修了証書が手渡されるため、希望者が修了証書を申し込むことができるよう、修了証書に関するＩＤ（Ｓ０１）が記憶されている。また、修了式において新しく仕立てたきものを着たいという受講者Ａが多いため、新たに仕立てたきものを示すＩＤ（Ｋ０１…）が記憶されている。このように、使用品マスタ２０には、加工の必要がない和装品のＩＤのみならず、加工が必要な加工品使用情報も記憶されている。尚、第１回のカリキュラムは説明会等であり、第５回及び第１０回はセミナーであるため対応する和装品６のＩＤは記憶されていない。
【００３８】
在庫情報２１は、図４（ｅ）に示すように、定期的に、或いは管理サーバ１から発注が行われる毎に配送端末４から送信される各和装品６のＩＤに対応した在庫状況を記憶したものである。
【００３９】
次に、管理サーバ１の機能的構成における各プログラムについて説明する。入力手段１１は、教室端末２又は受講者端末３の画面に情報を入力するための画面を表示させるプログラムである。本実施形態においては、図５に示すように購入する和装品６の入力を行う第１入力画面２２と、図６に示すようにきものや帯等の修繕や仕立て直しの発注を行う第２入力画面２３と、図７に示すようにきもの、帯又は長襦袢を購入するための第３入力画面２４とを備えている。
【００４０】
第１入力画面２２は、一般的にきもの着付教室で使用される和装品６を購入するための画面であり、図５に示すように、受講者ＡのＩＤを入力するエリア２５と、その横に設けられた確定ボタン２６と、受講者Ａの氏名の横に設けられた検索ボタン２７と、受講者Ａの通う教室名、曜日、クラスが表示されるエリアが設けられている。また、画面上で設定された内容を管理サーバ１に転送する登録ボタン２８が設けられている。
【００４１】
この第１入力画面２２では、エリア２５に受講者ＡのＩＤを入力して検索ボタン２７を押すと、氏名欄に受講者Ａマスタ１８に記憶されている受講者Ａの氏名、教室、曜日及びクラスが表示される。そして、確定ボタン２６を押すことによりその内容が確定する。また、和装品６の入力エリアも同様に、和装品６のＩＤを入力して検索ボタン２７を押すと、商品マスタ１７に記憶されている商品名と単価が表示され、確定ボタン２６を押すとその内容が確定される。
【００４２】
第２入力画面２３は、図６に示すように、受講者Ａに関する入力・表示エリア、及び登録ボタン２８は第１入力画面２２と同様となっている。そして、加工を希望する品目のＩＤ入力エリア２９と、確定ボタン２６と、品目表示エリア３０と、納品日入力エリア３１と、加工内容入力エリア３２が設けられている。
【００４３】
第３入力画面２４は、図７に示すように、受講者Ａに関する入力・表示エリアと、基本データの入力エリア３３と、仕立てサイズの出力項目３４と、品名情報の詳細項目エリア３５が設けられている。この第３入力画面２４では、受講者Ａの身長、ヒップの寸法、裄（衣服の背縫いからそで口までの長さ）、体形（Ｓ、Ｍ、Ｌ）、バストの寸法、年齢を入力することができるようになっている。そして、身長のエリアに値が入力されている状態で入力決定ボタン３６を押すと出力項目３４に後述する計算手段１５によって計算された各値が表示されるようになっている。
【００４４】
判定手段１２は、教室端末２又は受講者端末３から入力手段１１によって入力された発注情報から、発注された和装品６がどの会場において開催される教室で使用されるかを判定するプログラムである。具体的には、入力手段１１によって入力された受講者ＡＩＤから受講者Ａマスタ１８に記憶された情報である「通っている教室が開催されている会場、教室名、通っている教室の曜日とクラス」を抽出する。このように、受講者ＡＩＤから受講者Ａの通っている教室の曜日とクラスがわかるので、そのクラスのカリキュラムも明らかとなる。そして、判定手段１２は、使用品マスタ２０に記憶された情報である「カリキュラムで使用される和装品６」を抽出する。そして、発注された和装品６のＩＤと使用品マスタ２０から抽出された和装品６とを比較し、発注された和装品６がどのカリキュラムで使用されるかを判定する。
【００４５】
送信手段１３は、判定手段１２により判定されたカリキュラムの日時を納期情報として、入力手段１１により入力された発注情報と共に配送端末４又は加工者端末５に送信するプログラムである。
【００４６】
在庫補充手段１４は、商品マスタ１７に記憶された各和装品６の既発注情報と、在庫情報２１に記憶された各和装品６のＩＤに対応した在庫情報とを比較する。例えば、和装品６の和装品のＩＤが００１である足袋Ｓが一連の着付教室（４ヵ月）で平均５００足発注されていたとする。配送業者Ｄの倉庫９に保管されている足袋Ｓの在庫情報が５００足を切ったときは、在庫補充手段１４は、配送端末４に対して在庫の補充を指示する電子メールを送信する。このとき、納期情報も同時に送信される。
【００４７】
ここで、ＩＤが００１の足袋Ｓは第２回のカリキュラムで使用されるため、在庫補充手段１４は、記憶手段１０に記憶された教室マスタ１９の情報を基礎として、各地で行われているきもの着付教室の各カリキュラムのうち一番早い第２回のカリキュラムが行われる教室における第２回のカリキュラムの開催日を選択して納期情報とする。
【００４８】
また、カリキュラムが進行している中で、ある和装品６の在庫数が既発注情報を下回った場合、次回以降に行われるカリキュラムのうち、当該和装品６が使用される一番早いカリキュラムの日時を納期情報とする。
【００４９】
計算手段１５は、受講者Ａマスタ１８に少なくとも受講者Ａの身長が記憶されていればその身長からきものの身丈と裄と衿下と袖丈と前幅と後幅と袖幅と繰越及び長襦袢丈を計算するプログラムである。基本データ入力エリア３３において身長の値を入力するか、或いは受講者Ａマスタ１８に受講者Ａの身長の情報が入力されていればその身長の値が入力される。そして、身長の値が入力された状態で入力決定ボタン３６を押すことにより、出力項目３４のエリアに各値が表示される。
【００５０】
きものや長襦袢、特にきものを仕立てる際の採寸は、着付けの流派や採寸する個人によってばらつきがあるが、本願発明者等は多くの流派の採寸方法や多くの専門家による採寸方法を比較検討し、さらに実際に採寸が行われた際の身長と他の寸法との関係の統計を割り出すことにより、身長のみからきものの身丈と裄と衿下と袖丈と前幅と後幅と袖幅と繰越とを算出できるように計算手段１５を構築した。さらに、本実施形態においては、受講者Ａが身長以外の寸法を予め採寸して受講者Ａマスタ１８に登録しておいた場合、さらにこれらの寸法によって計算された値を修正するようにしている。
【００５１】
警報手段１６は、教室端末２又は受講者端末３から入力手段１１によって入力された発注情報の中にきもの等の要加工品である和装品６のＩＤが含まれているときは、記憶手段１０の商品マスタ１７から当該要加工品の加工時間情報を読み出す。また、記憶手段１０の使用品マスタ２０に記憶された情報である「カリキュラムで使用される和装品６」を抽出し、発注された和装品６がどのカリキュラムで使用されるかを判定する。そして、発注情報が発注された日時と和装品６の加工時間情報とから当該和装品６の加工終了日時を割り出し、発注された和装品６が使用されるカリキュラムに間に合うか否かを判断する。
【００５２】
発注された和装品６の加工がカリキュラムに間に合うのであれば、警報手段１６はそのまま発注を受け付ける。そして、管理サーバ１は送信手段１３によって発注情報を加工業者Ｅの加工者端末５に送信する。一方、発注された和装品６の加工がカリキュラムに間に合わないのであれば、警報手段１６は発注が行われた教室端末２又は受講者端末３に納期が間に合わない旨の警告を入力画面上に表示させる。
【００５３】
尚、警報手段１６は、発注情報の和装品６のＩＤが加工を要しないもののみであった場合も教室端末２又は受講者端末３に警告を行う場合がある。教室端末２から発注情報が入力される場合は、仮に発注された和装品６が次回のカリキュラムで使用されるものであっても、入力は各カリキュラムの修了後まもなくきもの着付教室の主催者Ｂ側の担当者が行うので次回のカリキュラムまでに確実に受講者Ａに届けられる。しかしながら、受講者Ａがインターネット７を介して受講者端末３で発注を行う場合、次回のカリキュラムまで時間がないという事態が生じうる。そこで、本実施形態においては、発注された和装品６が加工を要しないもののみであっても、当該和装品６を使用するカリキュラムに間に合わない場合は、受講者端末３に警告を行うこととしている。
【００５４】
次に、本実施形態の管理サーバ１の作動について説明する。４ヵ月間「無料きもの着付教室」は、事前の広告により受講者Ａを募り、抽選等を行って各教室の受講者Ａを決める。そして、教室の主催者Ｂは教室端末２或いは管理サーバ１を使用して受講者Ａの申込書から受講者Ａに関する情報を受講者Ａマスタ１８に登録する。このとき、各受講者Ａに受講者ＡＩＤが割り当てられる。
【００５５】
４ヵ月間「無料きもの着付教室」の第１回目のカリキュラムは、図４（ｄ）の使用品マスタ２０に示すように、着付教室の説明会と、講師及び受講者Ａの自己紹介となっている。この第１回目のカリキュラムにおいて、今後のカリキュラムがどのような内容で行われるかの説明が行われる。この第１回目のカリキュラムによって、受講者Ａは自分が所有するきもの、帯、或いは和装小物で何が不足しているかを知ることができる。第１回目のカリキュラム終了後、受講者Ａのうち和装品６の購入を希望する希望者は、教室に置かれてある小物申込書によりその場で発注を行う場合がある。一方、自宅に帰って自分が所有する和装品６を確認した上で発注を行う場合がある。
【００５６】
ここで、教室において直接購入を申し込む場合について説明すると、受講者Ａは和装品６の名称と単価とこれに対応するバーコードが記載された小物申込書（図示せず）を使用し、希望する和装品に印を付けて個数を記入し、主催者Ｂ側に提出する。主催者Ｂ側の担当者は、教室端末２において受講者Ａから提出された小物申込書の内容を入力する。このとき、担当者は教室端末２のバーコードリーダ８を用いて入力を行うことができるため、作業を迅速に行うことができる。
【００５７】
一方、受講者Ａが自宅で和装品６の発注を行う場合は、受講者Ａが自宅のＰＣである受講者端末３を立ち上げ、インターネット７を介して管理サーバ１に接続する。そして、予め通知を受けた受講者ＡＩＤとパスワードとを入力して受講者端末３の画面上に第１入力画面２２を表示させる。この状態で、受講者Ａは第１入力画面２２の入力エリアに自己が必要とする和装品６の情報を入力し、入力が確定したら管理サーバ１に発注情報を送信する。この発注情報には受講者ＡＩＤと和装品６のＩＤ及び数量が含まれている。
【００５８】
このように、教室端末２又は受講者端末３から管理サーバ１に発注情報が入力されると、管理サーバ１の判定手段１２は、発注情報のうちの受講者ＡＩＤについて記憶手段１０の受講者Ａマスタ１８に記録された受講者ＡＩＤとの照合を行い、この受講者Ａマスタ１８から発注を行った受講者Ａの通う教室の情報や宛先（住所）等の情報を入手する。また、判定手段１２は、発注情報の和装品６のＩＤが、記憶手段１０に記憶された使用品マスタ２０におけるどのカリキュラムに登録されているかを判定する。例えば、発注された和装品６がＩＤ００１の足袋Ｓの場合、使用されるカリキュラムは第２回である。このため、判定手段１２は発注された和装品６が、受講者Ａが第２回のカリキュラムにおいて使用できるように、第２回目のカリキュラムが行われる日の前日を最終の納期として決定する。
【００５９】
このように判定手段１２により最終納期が決められると、送信手段１３は配送業者Ｄが所有する配送端末４に発注情報と納期情報とを送信する。配送業者Ｄは、当該発注情報と納期情報とを元に、受講者Ａが発注した和装品６が少なくとも最終納期までに受講者Ａに届くように和装品６の発送を行う。このように、受講者Ａは、教室において直接和装品６の申し込みをした場合も、インターネット７を介して申し込みをした場合も、次回のカリキュラムが行われる前に発注した和装品６を入手することができる。このとき、料金の回収は発送業者によって行ってもよく、銀行振り込み等により行ってもよい。
【００６０】
また、第２回又は第３回等のカリキュラムにおいて、受講者Ａが第９回のカリキュラムで使用される黒留袖用の白い帯揚げ（Ｔ０１）を発注した場合、判定手段１２は発注された和装品６が少なくとも第９回のカリキュラムまでに受講者Ａに配送されるように最終納期を第９回のカリキュラムの前日にする。但し、受講者Ａから発注があった時点で管理サーバ１の送信手段１３によって配送端末４に発注情報が送信されるため、受講者Ａには最終期限よりも早めに発注された和装品６が届けられる。
【００６１】
尚、受講者Ａが受講者端末３において次回のカリキュラムまで間がない時点で発注を行い、警報手段１６が次回のカリキュラムまでに発送が間に合わないと判断したときは、警報手段１６は受講者端末３の画面上に発送が間に合わない旨の警告を表示させる。そのとき、受講者端末３の画面上に、発注をキャンセルするか、或いは次回に間に合わなくても発注するかを問い合わせ、その後警報手段１６は受講者Ａによって選択された処置を行う。
【００６２】
次に、カリキュラムの途中で受講者Ａが自分の持っている和装品の修繕を希望する場合について説明する。第５回目のカリキュラムでは帯に関するセミナーが行われる。このカリキュラムでは帯の質の違いや手入れ方法等を学ぶことになっている。このカリキュラムの後には、受講者Ａの中に自分の持っている帯を修繕したいと希望する人も生じる。このような受講者Ａは、自宅の受講者端末３を立ち上げ、インターネット７を介して管理サーバ１に接続し、受講者端末３の画面上に第２入力画面２３を表示させる。管理サーバ１側では、受講者端末３からの要求に応じて入力手段１１が第２入力画面２３を受講者端末３の画面上に表示させる。
【００６３】
受講者Ａは、この第２入力画面２３を使用して、修繕を希望する和装品６の品目、納品希望日等を入力し、入力が確定したら管理サーバ１に発注情報を送信する。管理サーバ１においては、発注情報の中の和装品６のＩＤが加工を必要とする和装品のＩＤであるため、警報手段１６が商品マスタ１７に記憶されている帯の加工時間の情報を入手し、発注された日時と帯の加工時間の情報から、受講者Ａに配送可能な日時を算出する。そして、算出された日時が納品希望日よりも早ければ、警報手段１６は警報を出さない。一方、算出された日時が納品希望日よりも遅ければ、警報手段１６は受講者端末３の画面上に納品が間に合わない旨の警告を行う。そのとき、受講者端末３の画面上に、発注をキャンセルするか、或いは次回に間に合わなくても発注するかを問い合わせ、その後受講者Ａによって選択された処置が行われる。
【００６４】
ここで、受講者Ａからの和装品６の発注が多くなり、配送業者Ｄの倉庫９に保管されている和装品６の在庫が少なくなって記憶手段１０に記憶されている在庫情報２１が商品マスタ１７に記憶されている各和装品６の既発注情報よりも少なくなった場合は、在庫補充手段１４によって発送端末４に対して在庫の補充を指示する電子メールが送られる。従って、発送業者は、在庫が不足するおそれのある和装品６を迅速に知ることができる。また、在庫情報２１が既発注情報よりも少なくなった場合であっても当該和装品６の在庫がなくなるわけではないので、発送業者は次回のカリキュラムまでに当該和装品６の在庫を補充すればよい。
【００６５】
次に、きものの購入を希望する受講者Ａがいた場合について説明する。第１０回のカリキュラムはきものについて学ぶセミナーであり、質の高いきものを直に見る機会となるため、受講者Ａの中にはそのきものの購入を希望する人もいる。しかしながら、当該受講者Ａが採寸等の時間がとれない場合もある。このような場合であっても、本実施形態においては、受講者Ａの身長の情報のみでその受講者Ａに合ったきものを提供することができる。
【００６６】
具体的には、例えば教室端末２において発注を行う場合、教室端末２の画面上に第３入力画面２４を表示させて受講者ＡＩＤを入力する。すると、受講者Ａマスタ１８に記憶された受講者Ａに関する情報が第３入力画面２４上に表示される。このとき、当該受講者Ａが採寸を行っておらず、身長の情報のみがわかる場合、受講者Ａは第３入力画面２４の身長の欄にのみ情報を入力すればよい。この状態で、購入を希望するきもののＩＤを入力し、登録ボタン２８を押すと、管理サーバ１では計算手段１５よって身長の情報からきものの身丈と裄と衿下と袖丈と前幅と後幅と袖幅及び繰越が計算される。そして、送信手段１３により当該情報が加工者端末５に送信される。このように、きものを希望する受講者Ａは、採寸をする時間がない場合であっても、少なくとも自分の身長の情報を入力すれば自分の体形に合ったきものを購入することができる。
【００６７】
以上のように、本実施形態の管理サーバ１を用いて４ヵ月間「無料きもの着付教室」を運営したときは、受講者Ａが各カリキュラムにおいて新たな和装品６が必要となった場合であっても、受講者Ａは特に納期を気にすることなく簡単な操作で和装品６を発注することができ、必要なカリキュラムまでには当該和装品６を入手することができる。従って、受講者Ａがカリキュラムにおいて必要な和装品６ないことにより不快な思いをするという事態を避けることができる。
【００６８】
尚、上記実施形態においては、発注された和装品６は発送業者から直接受講者Ａに届けられているが、これに限らず、受講者Ａが通う教室に届けてもよい。また、通常は直接受講者Ａに届け、時間的に受講者Ａの自宅には届けられないがカリキュラムの前に教室に届けられる場合は教室に届けて受講者Ａに電子メール等でその旨を通知してもよい。また、上記実施形態では、倉庫９に生産者Ｃからの委託を受けて和装品６の在庫を保管しているが、これに限らず、各生産者Ｃの所有する在庫を管理サーバ１で管理し、和装品６の発注がある毎に配送業者Ｄによって生産者Ｃの在庫から受講者Ａに発注された和装品６を届けるようにしてもよい。
【図面の簡単な説明】
【００６９】
【図１】本発明の和装品販売システムの基礎となる４ヵ月間無料きもの着付教室のビジネスモデルを示す説明図。
【図２】本発明の和装品販売システムの実施形態の一形態を示す説明図。
【図３】和装品販売システムに用いられる管理サーバの機能的構成を示す説明図。
【図４】管理サーバの記憶手段に記憶された情報の内容を示す説明図。
【図５】和装品の発注の際に用いる第１入力画面を示す説明図。
【図６】和装品の発注の際に用いる第２入力画面を示す説明図。
【図７】和装品の発注の際に用いる第３入力画面を示す説明図。
【符号の説明】
【００７０】
１…管理サーバ、２…教室端末（入力端末）、３…受講者端末（入力端末）、４…配送端末、１０…記憶手段、１２…判定手段、１３…送信手段。
【図１】
2005258648.tif 000003
【図２】
2005258648.tif 000004
【図３】
2005258648.tif 000005
【図４】
2005258648.tif 000006
【図５】
2005258648.tif 000007
【図６】
2005258648.tif 000008
【図７】
2005258648.tif 000009